【手続補正書】
【提出日】平成18年2月13日(2006.2.13)
【手続補正１】
【補正対象書類名】明細書
【補正対象項目名】特許請求の範囲
【補正方法】変更
【補正の内容】
【特許請求の範囲】
【請求項１】
撮像装置で取り込んだ映像を処理して配信する映像配信サーバと、該映像配信サーバが配信する映像を受信して表示手段に表示する映像受信クライアントとを備えた映像配信サーバ及び映像受信クライアントシステムにおいて、
前記映像配信サーバに、前記記撮像装置で取り込んだ映像の異変を検出する異変検出手段と、
前記異変検出手段で異変を検出した際に前記映像受信クライアントに送信する映像を変更する画像変更手段とを備えたことを特徴とする映像配信サーバ及び映像受信クライアントシステム。
【請求項２】
前記画像変更手段は、前記異変検出手段で異変を検出した際に、全体画像の中から異変を生じている部分を含む一部の画像を抽出して前記映像受信クライアントに送信することを特徴とする請求項１記載の映像配信サーバ及び映像受信クライアントシステム。
【請求項３】
前記映像配信サーバの前記撮像装置は複数の撮像装置であって、前記映像配信サーバの画像変更手段は、前記異変検出手段で異変を検出した際に、異変を撮影している撮像装置からの映像配信の優先順位を他の撮像装置による映像配信の優先順位より高く設定することを特徴とする請求項１又は請求項２に記載の映像配信サーバ及び映像受信クライアントシステム。
【請求項４】
前記映像受信クライアントは、前記映像配信サーバで異変を検出して配信される画像に対し画像解析を行う画像処理手段を備えたことを特徴とする請求項１乃至請求項３の何れか一つに記載の映像配信サーバ及び映像受信クライアントシステム。
【請求項５】
前記画像変更手段は、前記異変検出手段で異変を検出した際に、伝送画像の領域、解像度、フレームレートの内、少なくとも一つを変化させることを特徴とする請求項１乃至請求項４の何れか一つに記載の映像配信サーバ及び映像受信クライアントシステム。
【請求項６】
前記伝送画像の領域、解像度、フレームレートは、前記撮像素子の駆動を変更することにより、変更されることを特徴とする、請求項５に記載の映像配信サーバ及び映像受信クライアントシステム。
【請求項７】
前記画像変更手段は、前記異変検出手段で異変を検出した際に、異変を検出した第１の領域と所定のエッジが存在すると認識した第２の領域との少なくとも一方の領域の階調を基準として全体の画像に階調を割り当てることを特徴とする請求項１乃至請求項６の何れか一つに記載の映像配信サーバ及び映像受信クライアントシステム。
【請求項８】
前記撮像素子は、ＣＭＯＳ型センサであることを特徴とする、請求項７に記載の映像配信サーバ及び映像受信クライアントシステム。
【請求項９】
前記画像変更手段は、前記第１の領域の階調と前記第２の領域の階調の重み付けを変更自在であることを特徴とする請求項７に記載の映像配信サーバ及び映像受信クライアントシステム。
【請求項１０】
前記異変検出手段は、前記撮像装置で取り込んだ略連続する映像のフレーム間の変化を検出することにより映像の異変を検出することを特徴とする請求項１乃至９の何れか１つに記載の映像配信サーバ及び映像受信クライアントシステム。
【請求項１１】
撮像装置で取り込んだ映像を処理して配信する映像配信サーバにおいて、
前記映像配信サーバに、前記撮像装置で取り込んだ映像の異変を検出する異変検出手段と、
前記異変検出手段で異変を検出した際に前記配信する映像を変更する画像変更手段とを備えたことを特徴とする映像配信サーバ。
【請求項１２】
前記画像変更手段は、前記異変検出手段で異変を検出した際に、全体画像の中から異変を生じている部分を含む一部の画像を抽出して配信することを特徴とする請求項１１に記載の映像配信サーバ。
【請求項１３】
前記撮像装置は複数の撮像装置であって、前記映像配信サーバの画像変更手段は、前記異変検出手段で異変を検出した際に、異変を撮影している撮像装置からの映像配信の優先順位を他の撮像装置による映像配信の優先順位より高く設定することを特徴とする請求項１１又は請求項１２に記載の映像配信サーバ。
【請求項１４】
前記画像変更手段は、前記異変検出手段で異変を検出した際に、伝送画像の領域、解像度、フレームレートの内、少なくとも一つを変化させることを特徴とする請求項１１乃至請求項１３の何れか一つに記載の映像配信サーバ。
【請求項１５】
前記伝送画像の領域、解像度、フレームレートは、前記撮像素子の駆動を変更することにより、変更されることを特徴とする、請求項１４に記載の映像配信サーバ。
【請求項１６】
前記撮像素子は、ＭＯＳ型センサであることを特徴とする、請求項１４又は１５に記載の映像配信サーバ。
【請求項１７】
前記画像変更手段は、前記異変検出手段で異変を検出した際に、異変を検出した第１の領域と所定のエッジが存在すると認識した第２の領域との少なくとも一方の領域の階調を基準として全体の画像に階調を割り当てることを特徴とする請求項１１乃至請求項１５の何れか一つに記載の映像配信サーバ。
【請求項１８】
前記画像変更手段は、前記第１の領域の階調と前記第２の領域の階調の重み付けを変更自在であることを特徴とする請求項１７に記載の映像配信サーバ。
【請求項１９】
前記異変検出手段は、前記撮像装置で取り込んだ略連続する映像のフレーム間の変化を検出することにより映像の異変を検出することを特徴とする請求項１１乃至１８の何れか１つに記載の映像配信サーバ。
【請求項２０】
上記請求項１１乃至１９の何れか一つに記載の映像配信サーバが配信する映像を受信して表示手段に表示する映像受信クライアント。
【請求項２１】
前記映像受信クライアントは、前記映像配信サーバで異変を検出して配信される画像に対し画像解析を行う画像処理手段を備えたことを特徴とする請求項２０に記載の映像受信クライアント。
【手続補正２】
【補正対象書類名】明細書
【補正対象項目名】０００６
【補正方法】変更
【補正の内容】
【０００６】
【課題を解決するための手段】
上記目的を達成するため本発明による第１の映像配信サーバ及び映像受信クライアントシステムは、撮像装置で取り込んだ映像を処理して配信する映像配信サーバと、該映像配信サーバが配信する映像を受信して表示手段に表示する映像受信クライアントとを備えた映像配信サーバ及び映像受信クライアントシステムにおいて、前記映像配信サーバに、前記記撮像装置で取り込んだ映像の異変を検出する異変検出手段と、前記異変検出手段で異変を検出した際に前記映像受信クライアントに送信する映像を変更する画像変更手段とを備えたことを特徴とする。
【手続補正３】
【補正対象書類名】明細書
【補正対象項目名】０００７
【補正方法】変更
【補正の内容】
【０００７】
すなわち、上記映像配信サーバ及び映像受信クライアントシステムは、映像配信サーバでは撮像装置で取り込んだ映像を処理して配信し、映像受信クライアントでは映像配信サーバが配信する映像を受信して表示手段に表示する。この際、映像配信サーバは、異変検出手段によって撮像装置で取り込んだ映像の異変を検出し、画像変更手段で異変検出手段で異変を検出した際に映像受信クライアントに送信する映像を所定に変更する。このため、ユーザ側で映像データを選別する負荷を大幅に軽減すると共に、必要な映像データを的確にユーザ側に送信することができ、ネットワーク回線の利用量も最低限に抑えることが可能となる。
【手続補正４】
【補正対象書類名】明細書
【補正対象項目名】０００８
【補正方法】変更
【補正の内容】
【０００８】
また、本発明による第２の映像配信サーバ及び映像受信クライアントシステムは、第１の映像配信サーバ及び映像受信クライアントシステムにおいて、前記異変検出手段で異変を検出した際に、全体画像の中から異変を生じている部分を含む一部の画像を抽出して前記映像受信クライアントに送信することを特徴としている。このように、全体画像の中から異変を生じている部分を含む一部の画像を抽出して前記映像受信クライアントに送信するため、ネットワーク回線の利用量を最低限に抑えることができる。
【手続補正５】
【補正対象書類名】明細書
【補正対象項目名】０００９
【補正方法】変更
【補正の内容】
【０００９】
更に、本発明による第３の映像配信サーバ及び映像受信クライアントシステムは、第１又は第２の映像配信サーバ及び映像受信クライアントシステムにおいて、前記映像配信サーバの前記撮像装置は複数の撮像装置であって、前記映像配信サーバの画像変更手段は、前記異変検出手段で異変を検出した際に、異変を撮影している撮像装置からの映像配信の優先順位を他の撮像装置による映像配信の優先順位より高く設定することを特徴としている。このように異変を撮影している撮像装置からの映像を優先することで、ネットワーク回線の利用量を増加することなく的確に必要な情報をユーザ側に送信する。
【手続補正６】
【補正対象書類名】明細書
【補正対象項目名】００１０
【補正方法】変更
【補正の内容】
【００１０】
また、本発明による第４の映像配信サーバ及び映像受信クライアントシステムは、第１〜第３の映像配信サーバ及び映像受信クライアントシステムにおいて、前記映像受信クライアントは、前記映像配信サーバで異変を検出して配信される画像に対し画像解析を行う画像処理手段を備えたことを特徴としている。このように映像配信サーバで異変を検出して配信される画像に対し、ユーザ側で更なる解析を行って、異変の状況を確実に捉えることが可能となる。
【手続補正７】
【補正対象書類名】明細書
【補正対象項目名】００１１
【補正方法】変更
【補正の内容】
【００１１】
更に、本発明による第５の映像配信サーバ及び映像受信クライアントシステムは、第１〜第４の映像配信サーバ及び映像受信クライアントシステムにおいて、前記画像変更手段は、前記異変検出手段で異変を検出した際に、伝送画像の領域、解像度、フレームレートの内、少なくとも一つを変化させることを特徴とする
【手続補正８】
【補正対象書類名】明細書
【補正対象項目名】００１２
【補正方法】変更
【補正の内容】
【００１２】
また、本発明による第６の映像配信サーバ及び映像受信クライアントシステムは、第５の映像配信サーバ及び映像受信クライアントシステムにおいて、前記伝送画像の領域、解像度、フレームレートは、前記撮像素子の駆動を変更することにより、変更されることを特徴とする。
【手続補正９】
【補正対象書類名】明細書
【補正対象項目名】００１３
【補正方法】変更
【補正の内容】
【００１３】
更に、本発明による第７の映像配信サーバ及び映像受信クライアントシステムは、第１〜第６の映像配信サーバ及び映像受信クライアントシステムにおいて、前記画像変更手段は、前記異変検出手段で異変を検出した際に、異変を検出した第１の領域と所定のエッジが存在すると認識した第２の領域との少なくとも一方の領域の階調を基準として全体の画像に階調を割り当てることを特徴とする。
本発明による第８の映像配信サーバ及び映像受信クライアントシステムは、第７の映像配信サーバ及び映像受信クライアントシステムにおいて、前記撮像素子は、ＣＭＯＳ型センサであることを特徴とする。
本発明による第９の映像配信サーバ及び映像受信クライアントシステムは、第７の映像配信サーバ及び映像受信クライアントシステムにおいて、前記画像変更手段は、前記第１の領域の階調と前記第２の領域の階調の重み付けを変更自在であることを特徴とする。
本発明による第１０の映像配信サーバ及び映像受信クライアントシステムは、第１〜第９の映像配信サーバ及び映像受信クライアントシステムにおいて、前記異変検出手段は、前記撮像装置で取り込んだ略連続する映像のフレーム間の変化を検出することにより映像の異変を検出することを特徴とする。
本発明による第１の映像配信サーバは、撮像装置で取り込んだ映像を処理して配信する映像配信サーバにおいて、前記映像配信サーバに、前記撮像装置で取り込んだ映像の異変を検出する異変検出手段と、前記異変検出手段で異変を検出した際に前記配信する映像を変更する画像変更手段とを備えたことを特徴とする。
本発明による第２の映像配信サーバは、第１の映像配信サーバにおいて、前記画像変更手段は、前記異変検出手段で異変を検出した際に、全体画像の中から異変を生じている部分を含む一部の画像を抽出して配信することを特徴とする。
本発明による第３の映像配信サーバは、第１または第２の映像配信サーバにおいて、前記撮像装置は複数の撮像装置であって、前記映像配信サーバの画像変更手段は、前記異変検出手段で異変を検出した際に、異変を撮影している撮像装置からの映像配信の優先順位を他の撮像装置による映像配信の優先順位より高く設定することを特徴とする。
本発明による第４の映像配信サーバは、第１〜第３の映像配信サーバにおいて、前記画像変更手段は、前記異変検出手段で異変を検出した際に、伝送画像の領域、解像度、フレームレートの内、少なくとも一つを変化させることを特徴とする。
本発明による第５の映像配信サーバは、第４の映像配信サーバにおいて、前記伝送画像の領域、解像度、フレームレートは、前記撮像素子の駆動を変更することにより、変更されることを特徴とする。
本発明による第６の映像配信サーバは、第４または第５の映像配信サーバにおいて、前記撮像素子は、ＭＯＳ型センサであることを特徴とする。
本発明による第７の映像配信サーバは、第１〜第５の映像配信サーバにおいて、前記画像変更手段は、前記異変検出手段で異変を検出した際に、異変を検出した第１の領域と所定のエッジが存在すると認識した第２の領域との少なくとも一方の領域の階調を基準として全体の画像に階調を割り当てることを特徴とする。
本発明による第８の映像配信サーバは、第７の映像配信サーバにおいて、前記画像変更手段は、前記第１の領域の階調と前記第２の領域の階調の重み付けを変更自在であることを特徴とする。
本発明による第９の映像配信サーバは、第１〜第８の映像配信サーバにおいて、前記異変検出手段は、前記撮像装置で取り込んだ略連続する映像のフレーム間の変化を検出することにより映像の異変を検出することを特徴とする。
本発明による第１の映像受信クライアントは、第１〜第９の何れか一つの映像配信サーバが配信する映像を受信して表示手段に表示する。
本発明による第２の映像受信クライアントは、第１の映像受信クライアントにおいて、前記映像配信サーバで異変を検出して配信される画像に対し画像解析を行う画像処理手段を備えたことを特徴とする。